(57)【特許請求の範囲】
【請求項１】
複数の図柄をもつ複数のリール、これら複数のリールをそれぞれ駆動する複数のステッピングモータ、これら複数のステッピングモータを制御するマイクロプロセッサを具備するリール制御装置を含む遊技機において、
前記リール制御装置に具備するマイクロプロセッサの割込み間隔と、この割込み間隔で前記ステッピングモータのステップ更新を行う更新ステップ数とを一組とした組データを複数組記憶した記憶手段と、
前記記憶手段から一の組データを各前記リール毎に選択する組データ選択手段と、
前記組データ選択手段によって選択された一の組データに従って、前記マイクロプロセッサの割込み間隔を各前記リール毎に設定変更する割込み間隔設定変更手段と、
該割込み間隔設定変更手段によって設定された割込み間隔毎に、内部タイマ割込み処理を各前記リール毎に対応して実行する内部タイマ割込み処理実行手段と、
前記内部タイマ割込み処理の実行毎に、当該実行中の内部タイマ割込み処理に対応する前記リールを駆動する前記ステッピングモータへ供給する励磁パルスを切換えるリール制御手段と、
前記励磁パルスの切換えが行われた回数を各前記リール毎に計数する切換回数計数手段と、
前記切換回数計数手段によって計数された回数が、前記組データ選択手段によって選択された一の組データが示す更新ステップ数に達したか否かを判定する更新ステップ数判定手段とを備え、
前記組データ選択手段は、前記更新ステップ数判定手段によって前記切換回数計数手段により計数された回数が更新ステップ数に達したと判定されたときに、組データの選択を行うことを特徴とする遊技機。
【請求項２】
前記リール制御装置は、入賞判定処理を含む遊技の主要事項を決定する主制御装置に一方向通信手段で結ぶサブ制御装置から成る請求項１記載の遊技機。
【発明の詳細な説明】
【０００１】
【発明が属する技術分野】
本発明は、いわゆる機械式リールを図柄変動装置に用いたパチンコ遊技機、回胴式遊技機などに関する。
【０００２】
【発明が解決しようとする課題】
この種遊技機の図柄変動装置は、大別して、液晶画面等による映像方式と、機械式リール方式があり、映像方式は、図柄の変動速度等を自由に変えることができ、複雑で多様な演出が比較的容易である。これに対し、リール方式は、リールを回転させて止める単純な動作が基本となり、これに再変動やコマ送り或は逆転によるコマ戻し等が付加される程度で、全体の動きがギクシャクした感があり、多様な演出がされていないのが現状である。
【０００３】
本発明は、機械式リールにおいて簡易に速度変更ができ、多様な演出に対応可能とした遊技機を提供することを課題とする。
【０００４】
【課題を解決するための手段】
請求項１記載の発明は、複数の図柄をもつ複数のリール、これら複数のリールをそれぞれ駆動する複数のステッピングモータ、これら複数のステッピングモータを制御するマイクロプロセッサを具備するリール制御装置を含む遊技機において、前記リール制御装置に具備するマイクロプロセッサの割込み間隔と、この割込み間隔で前記ステッピングモータのステップ更新を行う更新ステップ数とを一組とした組データを複数組記憶した記憶手段と、前記記憶手段から一の組データを各前記リール毎に選択する組データ選択手段と、前記組データ選択手段によって選択された一の組データに従って、前記マイクロプロセッサの割込み間隔を各前記リール毎に設定変更する割込み間隔設定変更手段と、該割込み間隔設定変更手段によって設定された割込み間隔毎に、内部タイマ割込み処理を各前記リール毎に対応して実行する内部タイマ割込み処理実行手段と、前記内部タイマ割込み処理の実行毎に、当該実行中の内部タイマ割込み処理に対応する前記リールを駆動する前記ステッピングモータへ供給する励磁パルスを切換えるリール制御手段と、前記励磁パルスの切換えが行われた回数を各前記リール毎に計数する切換回数計数手段と、前記切換回数計数手段によって計数された回数が、前記組データ選択手段によって選択された一の組データが示す更新ステップ数に達したか否かを判定する更新ステップ数判定手段とを備え、前記組データ選択手段は、前記更新ステップ数判定手段によって前記切換回数計数手段により計数された回数が更新ステップ数に達したと判定されたときに、組データの選択を行う構成にした。
【０００５】
これにより、各組データにおける割込み間隔毎に、ステッピングモータに供給する励磁パルスが更新され、ステッピングモータは一ステップ角づつ変位し、該当する組データにおける更新ステップ数に見合う角度分だけ回転する。このとき、組データの割込み間隔が大であると、ステッピングモータが一ステップ角変位する速度が遅くなる。こうして、組データを予め設定しておくことにより、簡易にステッピングモータの速度変更が任意の回転角について行え、多様な演出に対応可能となる。割込み間隔は任意にとれ、アナログ的な速度変化ができる。
【０００６】
請求項２記載の発明は、風営法２条１項７号のぱちんこ屋等の営業に供される遊技機を試験機関で検査する際の負担を軽減しつつ、上記課題を解決するため、前記リール制御装置は、入賞判定処理を含む遊技の主要事項を決定する主制御装置に一方向通信手段で結ぶサブ制御装置から成るものとした。
【０００７】
これにより、前記組データ等のリールの具体的な演出に係るソフトは、主制御装置に一方向通信手段で結ぶサブ制御装置に設けられ、そのソフトが主制御装置の制御に影響を与えるものとはならない。このため、多様な演出を可能としつつも、セキュリティ面からは組データ等の厳密な検査は必要なく、試験機関での検査負担を軽減できる。
【０００８】
【発明の実施の形態】
図１は、本発明に係るパチンコ遊技機１であり、遊技枠１０に本体１１を開扉可能に支持している。本体１１の前面上部には、丸窓１２にガラス１３を嵌めたフロント扉１４を有し、その内方に遊技盤２を備える。本体１１の前面下部には、貸球及び賞球を受止める上皿３、その満杯時に球出口３０の内方で溢れた球を受止める下皿４、球発射装置５のハンドル５０を備える。上皿３には、効果音やＢＧＭ、エラー音等を出力するステレオ式のスピーカ６を内蔵していると共に、遊技機１に隣接して設置する図示しないＣＲサンドから球貸し等をする操作スイッチ部３１を備える。貸球は現行１個４円である。
【０００９】
図２の通り、遊技盤２には、遊技領域を区画し且つ球発射装置５からの発射球を導くガイドレール２０，２１、飾り枠２２、その内方の表示窓２３Ｌ，２３Ｃ，２３Ｒに特別図柄を変動及び停止させる左リール７Ｌ、中リール７Ｃ、右リール７Ｒ、これらリールを回転させ且つ５本何れかの入賞ラインＬ１〜５上に特定の図柄を三つ揃いさせる大当たりの抽選を起動するチューリップ式普通電動役物から成る始動口２４、大当たり時に開くアタッカと称する特別電動役物の大入賞口２５、一般入賞口となる左右の上入賞口２６，２６及び下入賞口２７，２７、左右の風車２８，２８を備える。２９は遊技盤２での入賞を逃したアウト球を排出するアウト口である。図示は省略したが、遊技盤２には多数の遊技釘が打たれている。
【００１０】
図２中、８は当りランプ８１及び外れランプ８２で構成する普通図柄表示装置、９はその普通図柄の抽選処理に関与する通過ゲートである。７１〜７４は始動口２４に対する保留球表示器、９１〜９４は通過ゲート９に対する保留球表示器である。９Ｌは演出用の左ＬＥＤ、９Ｃは同中ＬＥＤ、９Ｒは同右ＬＥＤである。尚、大入賞口２５への入賞球一個当たりの賞球は例えば１５個、その他の入賞口２４，２６，２７は例えば５個に設定している。
【００１１】
図３の通り、各リール７Ｌ，７Ｃ，７Ｒの外周には、赤７、緑７、青７、赤竜、緑竜、青竜、１、２、３、４、５、６の全１２種の図柄を、図柄番号１〜１２に対応させて独特の配列で描いている。大当たり図柄は、赤７、緑７、青７、赤竜、緑竜、青竜の各三つ揃いの６パターンである。そのうち、赤７、緑７、青７の各三つ揃いの場合、次回の大当たり当選確率を例えば５倍に高める確変大当たりとしている。大当たり時の特別遊技では、大入賞口２５を一ラウンド最大３０秒か１０球入賞までの間開き、大入賞口２５内のＶ入賞領域に球が通過することを条件に役物連続作動装置を作動させ、最大１６ラウンドまで継続させている。
【００１２】
図４は、遊技機の制御装置のブロック図である。大当たり抽選処理や入賞球処理などの一切の入賞判定処理を担い、遊技の主要事項を決定する主制御装置たる主基板ＭＣを備える。また、この主基板ＭＣに一方向通信回線ＰＬで結ぶサブ制御装置として、リール制御装置を構成する図柄制御基板ＳＣ１、装飾ランプ制御装置を構成するランプ制御基板ＳＣ２、音声制御装置を構成する音声制御基板ＳＣ３、賞球制御装置を構成する賞球制御基板ＳＣ４を備える。
【００１３】
主基板ＭＣは、マイクロプロセッサとして、メインのＣＰＵ、ＲＯＭ、ＲＡＭ、ＣＴＣ（カウンタタイマサーキット）を備え、入力側に、始動口２４の入賞球を検出する始動入賞球センサＪ１、一般入賞口２６，２７の入賞球を検出する一般入賞球センサＪ２、大入賞口２５の入賞球を検出する大入賞球センサＪ３、大入賞口２５内のＶ入賞領域の通過球を検出するＶ入賞球センサＪ４、通過ゲート９の通過球センサＪ５を接続している。また、出力側に、始動口２４のチューリップを開閉する始動口アクチュエータＤ１、大入賞口２５を開閉する大入賞口アクチュエータＤ２を接続している。
【００１４】
リール制御装置を構成する図柄制御基板ＳＣ１は、マイクロプロセッサとして、サブのＣＰＵ、ＲＯＭ、ＲＡＭ、ＣＴＣ、リセットＩＣを備え、ステッピングモータ制御インターフェースを介して、各リール７Ｌ，７Ｃ，７Ｒを駆動するステッピングモータＰＭＬ，ＰＭＣ，ＰＭＲを制御している。また、ランプ制御インターフェースを介して、各リール７Ｌ，７Ｃ，７Ｒの図柄を背後から光らせるバックランプとしての左リール内ランプＢＬ，中リール内ランプＢＣ，右リール内ランプＢＲを点灯制御している。各リール７Ｌ，７Ｃ，７Ｒには、基準位置を検出するリールインデックスＨＬ，ＨＣ，ＨＲを付設しており、その信号を図柄制御基板ＳＣ１に入力させている。
【００１５】
ランプ制御基板ＳＣ２は、演出用の左ＬＥＤ９Ｌ、中ＬＥＤ９Ｃ、右ＬＥＤ９Ｒなどの装飾ランプ表示装置を制御している。音声制御基板ＳＣ３は、スピーカ６から成る音声出力装置を制御している。賞球制御基板ＳＣ４は、球発射装置５及び賞球の払出装置を制御している。
【００１６】
図５の通り、主基板ＭＣでは、電源投入から、全出力ポートの初期化、パワーダウンエラー判定、ＣＰＵ初期化などを含むＭＰＵ動作初期設定処理の後、割込を許可し、始動口２４への入賞を契機とした大当たり抽選処理及び各リール７Ｌ，７Ｃ，７Ｒのリーチ演出や停止図柄の決定処理を含む特別図柄変動処理のループ処理がされる。
【００１７】
図６の通り、主基板ＭＣの割込処理では、各レジスタを退避し、大当たり抽選用乱数等の乱数更新処理、タイマ更新処理、センサ等の各入力信号処理、普通図柄処理、演出用ＬＥＤ等の装飾制御処理、賞球の払出処理、エラー処理、ＲＡＭに格納した図柄変動コマンド等をサブ制御装置側に送信するコマンド送信処理を経て、各レジスタを復帰し、割込を許可して一処理を終える。
【００１８】
図７の通り、主基板ＭＣの特別図柄変動処理では、始動口２４への始動入賞記憶があり、大当たり判定用乱数に基づいて大当たりと判定されたとき、当り図柄決定用乱数に基づいて大当たり図柄を決定し、演出決定用乱数に基づいて当り演出を決定する。外れのときは、リーチ判定用乱数に基づいてリーチ演出の有無を判定し、リーチ有りの場合、外れ図柄決定用乱数に基づいてリーチ有り外れ停止図柄を決定し、演出決定用乱数に基づいてリーチ演出を決定する。外れでリーチ無しの場合は、外れ図柄決定用乱数に基づいてリーチ無し外れ停止図柄を決定し、演出決定用乱数に基づいて外れ演出を決定する。そして、各決定事項に応じた図柄変動コマンドを生成してＲＡＭに格納する。また、大当たりの有無により特別遊技処理を準備し、終了処理を経て終える。始動入賞記憶がない場合は、リール内ランプ等のデモ制御処理を経て終える。
【００１９】
図８の通り、リール制御装置を構成する図柄制御基板ＳＣ１では、該基板ＳＣ１上のＣＰＵの初期設定及びＲＡＭの初期化を含む電源投入時の初期設定処理の後、図柄制御基板ＳＣ１のＲＡＭに格納しておいた主基板ＭＣから送信されたコマンドの解析及びそのコマンドに応じた処理を行う受信コマンド解析処理のループ処理がされる。電源投入時の初期設定処理では、ＣＰＵの初期設定を行う際、割込みの動作モードを単発カウントモードに設定する。この単発カウントモードは、通常の連続カウントモードと異なり、割込み毎に次回の割込み発生までの間隔（割込みカウント値）を設定するものである。
【００２０】
図９の通り、図柄制御基板ＳＣ１において、割込み間隔を例えば１ｍｓに固定した内部タイマ割込み１では、各リールインデックスＨＬ，ＨＣ，ＨＲ等の入力ポート読込処理をする。各リールインデックスＨＬ，ＨＣ，ＨＲの入力が１、０、０と変化した時点をインデックス検知位置とし、この位置をリールの初期位置としている。割込み間隔を可変設定する内部タイマ割込み２，３，４では、それぞれ、左リール７Ｌ（左図柄用）のリール制御処理、中リール７Ｃ（中図柄用）のリール制御処理、右リール７Ｒ（右図柄用）のリール制御処理をする。
【００２１】
図１０の通り、前記内部タイマ割込み１〜４とは異なるモードの割込み処理であって、主基板ＳＴＢ（ストローブ）入力処理では、主基板ＭＣから送信されたコマンドデータを受信し、図柄制御基板ＳＣ１のＲＡＭに格納する。
【００２２】
図１１の通り、前記リール制御処理（図９）では、ステッピングモータ側に出力する８種の励磁パルスデータ（ＰＩ＝０〜７）、このパルスデータを切換えてステップ更新を行う割込み間隔を決定する割込みカウント値ＩＲｃｎｔ及び同一のカウント値でステップ更新を行う更新ステップ数ＳＴから成る組データを多数組記憶したリール駆動データテーブルＴＢを用いる。尚、各ステッピングモータＰＭＬ，ＰＭＣ，ＰＭＲは、例えば一回転４００ステップとしている。
【００２３】
リール制御処理の初期突入時、更新ステップ数ＳＴは０で（ｂ）、リール駆動データテーブルＴＢの１番目から割込みカウント値ＩＲｃｎｔと更新ステップ数ＳＴを取得する（ｃ，ｄ，ｅ，ｆ，ｇ）。次回この処理を通るときは２番目以降からの取得となる（ｈ）。ｄで取得した割込みカウント値はａ１の処理でレジスタに設定される。
【００２４】
更新ステップ数ＳＴの値を１減算し（ｉ）、出力データ選択ポインタＰＩを更新して（ｋ）、その値を０〜７の範囲に調整する（ｌ）。次に、出力データ選択ポインタＰＩを元に出力データを取得してＲＡＭに格納する（ｎ）。ここで格納した出力データは、ａ２の処理でポートに出力される。
【００２５】
こうして、設定した割込みカウント値ＩＲｃｎｔ毎に、出力データ選択ポインタＰＩが更新されて励磁パルスが更新される（ｋ）。この更新は、組データの更新ステップ数ＳＴについて繰り返され、ステッピングモータはその組データの更新ステップＳＴ数に見合うステップ角を回転することになる。そして、ＳＴ＝０となり（ｂ）、次の割込みカウント値ＩＲｃｎｔ及び更新ステップ数ＳＴが取得され（ｃ〜ｈ）、以下、同様の処理となる。
【図面の簡単な説明】
【図１】本発明を適用した遊技機の斜視図。
【図２】同遊技機の遊技盤の正面図。
【図３】同遊技機のリール展開図。
【図４】同遊技機の制御ブロック図。
【図５】同遊技機の主基板でのメイン処理フロー図。
【図６】同遊技機の主基板での割込処理フロー図。
【図７】同遊技機の主基板での特別図柄変動処理フロー図。
【図８】同遊技機の図柄制御基板でのメイン処理フロー図。
【図９】同遊技機の図柄制御基板での内部割込処理フロー図。
【図１０】同遊技機の図柄制御基板での外部割込処理フロー図。
【図１１】同遊技機の図柄制御基板でのリール制御処理フロー図。
【符号の説明】
７Ｌ，７Ｃ，７Ｒ  リール
ＰＭＬ，ＰＭＣ，ＰＭＲ  ステッピングモータ
ＭＣ  主基板（主制御装置）
ＳＣ１  図柄制御基板（リール制御装置）（サブ制御装置）
【図１】
0004127475.tif 000002
【図２】
0004127475.tif 000003
【図３】
0004127475.tif 000004
【図４】
0004127475.tif 000005
【図５】
0004127475.tif 000006
【図６】
0004127475.tif 000007
【図７】
0004127475.tif 000008
【図８】
0004127475.tif 000009
【図９】
0004127475.tif 000010
【図１０】
0004127475.tif 000011
【図１１】
0004127475.tif 000012